(57)【要約】【課題】浴槽内の湯を追い焚き用熱交換器との間に循環させる追い焚き回路に介設される殺菌装置を備え、所定の入浴期間経過後に追い焚き回路に湯を循環させつつ殺菌装置で湯を殺菌する殺菌運転を行う給湯装置において、浴槽内の湯に含まれる細菌数が入浴人数に応じて増減することを考慮し、浴槽内の湯を過不足なく殺菌することができるようにする。【解決手段】入浴人数を検知する検知手段を備え、入浴期間中に検知手段で検知された入浴人数に応じて殺菌運転の運転時間を決定する。【選択図】図２
2017156059.tif 000002
【特許請求の範囲】
【請求項１】
浴槽内の湯を追い焚き用熱交換器との間に循環させる追い焚き回路と、追い焚き回路に介設される殺菌装置とを備え、所定の入浴期間経過後に追い焚き回路に湯を循環させつつ殺菌装置で湯を殺菌する殺菌運転を行う給湯装置において、
入浴人数を検知する検知手段を備え、入浴期間中に検知手段に検知された入浴人数に応じて殺菌運転の運転時間を決定することを特徴とする給湯装置。
【発明の詳細な説明】
【技術分野】
【０００１】
本発明は、浴槽内の湯を追い焚き用熱交換器との間に循環させる追い焚き回路と、追い焚き回路に介設される殺菌装置とを備える給湯装置に関する。
【背景技術】
【０００２】
従来、この種の給湯装置として、所定の入浴期間経過後（例えば、湯張り完了から所定の設定時間経過後）に、追い焚き回路に湯を循環させつつ殺菌装置で湯を殺菌する殺菌運転を所定時間行うものが知られている（例えば、特許文献１参照）。
【０００３】
ここで、浴槽内の湯に含まれる細菌数は入浴人数が増すほど増加する。然し、従来は、入浴人数とは無関係に殺菌運転の運転時間が定められている。そのため、入浴期間中の入浴人数が多いと殺菌不足を生じ、入浴人数が少ないと過度の殺菌運転によるエネルギーの無駄を生じてしまう。
【先行技術文献】
【特許文献】
【０００４】
【特許文献１】特開２００１−１９８４１５号公報
【発明の概要】
【発明が解決しようとする課題】
【０００５】
本発明は、以上の点に鑑み、浴槽内の湯を過不足なく殺菌することができるようにした給湯装置を提供することをその課題としている。
【課題を解決するための手段】
【０００６】
上記課題を解決するために、本発明は、浴槽内の湯を追い焚き用熱交換器との間に循環させる追い焚き回路と、追い焚き回路に介設される殺菌装置とを備え、所定の入浴期間経過後に追い焚き回路に湯を循環させつつ殺菌装置で湯を殺菌する殺菌運転を行う給湯装置において、入浴人数を検知する検知手段を備え、入浴期間中に検知手段に検知された入浴人数に応じて殺菌運転の運転時間を決定することを特徴とする。
【０００７】
本発明によれば、浴槽内の湯に含まれる細菌数が入浴人数に応じて増減しても、殺菌運転の運転時間も入浴人数に応じて増減するため、浴槽内の湯を過不足なく殺菌することができる。
【図面の簡単な説明】
【０００８】
【図１】本発明の実施形態の給湯装置の構成図。
【図２】実施形態の給湯装置で行う制御内容を示すフロー図。
【発明を実施するための形態】
【０００９】
図１を参照して、本発明の実施形態の給湯装置は、缶体１を備えている。缶体１内の下部には、給湯用バーナ２１と追い焚き用バーナ２２とが収納され、缶体１内の上部には、給湯用バーナ２１で加熱される給湯用熱交換器３１と追い焚き用バーナ２２で加熱される追い焚き用熱交換器３２とが収納されている。尚、給湯用のバーナ２１及び熱交換器３１が配置された空間と追い焚き用のバーナ２２及び熱交換器３２が配置された空間とは、仕切り壁１１により区画されている。また、缶体１の下面には、バーナ２１，２２に燃焼用空気を供給する燃焼ファン４が接続されており、缶体１の上端には排気口１２が開設されている。
【００１０】
バーナ２１，２２に燃料ガスを供給するガス供給路５には、電磁弁５ａと比例弁５ｂとが介設されている。更に、給湯用バーナ２１を構成する複数の単位バーナを３組に分け、比例弁５ｂの下流で分岐された各組の単位バーナへの分岐ガス供給路５１に、能力切換のための電磁弁５１ａを夫々介設し、比例弁５ｂの下流で分岐された追い焚き用バーナ２２への分岐ガス供給路５２にも、電磁弁５２ａを介設している。
【００１１】
給湯用熱交換器３１は、バーナ２１からの燃焼ガスの顕熱を回収する主熱交換器３１ａと、主熱交換器３１ａを通過した燃焼ガスの潜熱を回収する副熱交換器３１ｂとで構成されており、同様に、追い焚き用熱交換器３２も、主熱交換器３２ａと副熱交換器３２ｂとで構成されている。給湯用熱交換器３１には、上流側の給水路６１と下流側の出湯路６２とが接続されており、追い焚き用熱交換器３２には、浴槽７に連なる追い焚き回路６３が接続されている。尚、出湯路６２の下流端は、図外の給湯端末に接続されている。
【００１２】
給水路６１には、給水用水量センサ６１ａと水量サーボ６１ｂとが設けられている。更に、水量サーボ６１ｂの下流側の給水路６１の部分から分岐して給湯用熱交換器３１を通らずに出湯路６２に合流するバイパス通路６４を設け、バイパス通路６４の分岐箇所にバイパスサーボ６４ａを設けている。出湯路６２には、出湯サーミスタ６２ａが設けられている。
【００１３】
追い焚き回路６３は、追い焚き用熱交換器３２を通過した湯を浴槽７に送る往路６３１と、浴槽７内の湯を追い焚き用熱交換器３２に戻す復路６３２とで構成されている。往路６３１には、往路サーミスタ６３ａが設けられており、復路６３２には、復路サーミスタ６３ｂと循環ポンプ６３ｃと水位センサ６３ｄと水流スイッチ６３ｅとが設けられている。そして、循環ポンプ６３ｃの作動により浴槽７内の湯を追い焚き用熱交換器３２との間で追い焚き回路６３を介して循環させるようにしている。更に、追い焚き用バーナ２２を燃焼させて、追い焚き回路６３を循環する湯を追い焚き用熱交換器３２で加熱して、追い焚きを行うようにしている。
【００１４】
浴槽７と循環ポンプ６３ｃとの間の復路６３２の部分には、バイパス通路６４の合流箇所よりも下流側の出湯路６２の部分から分岐した湯張り通路６５が接続されている。湯張り通路６５には、湯張り用電磁弁６５ａと湯張り用出湯路６５に流れる湯の流量を検出する湯張り用水量センサ６５ｂとが設けられている。そして、循環ポンプ６３ｃを作動させずに湯張り用電磁弁６５ａを開弁することにより、給湯用熱交換器３１で加熱された湯を湯張り通路６５と復路６３２及び往路６３１とを介して浴槽７に供給して、湯張りを行うようにしている。
【００１５】
また、追い焚き回路６３の復路６３２には、湯張り通路６５の接続箇所と浴槽７との間に位置させて、ＵＶランプを有する殺菌装置６３ｆが介設され、ＵＶランプの点灯により追い焚き回路６３を循環する湯に紫外線を照射して、殺菌を行うようにしている。尚、殺菌装置６３ｆは、光触媒と光触媒に光を照射するＬＥＤランプを有するものやオゾン発生器を有するものであってもよい。
【００１６】
燃焼ファン４、電磁弁５ａ、比例弁５ｂ、電磁弁５１ａ，５１ａ，５１ａ，５２ａ、水量サーボ６１ｂ、循環ポンプ６３ｃ、殺菌装置６３ｆのＵＶランプ、バイパスサーボ６４ａ及び湯張り用電磁弁６５ａは、給湯装置のコントローラ８により制御される。このコントローラ８には、給水用水量センサ６１ａ、出湯サーミスタ６２ａ、往路サーミスタ６３ａ、復路サーミスタ６３ｂ、水位センサ６３ｄ、水流スイッチ６３ｅ及び湯張り用水量センサ６５ｂの検出信号が入力される。そして、コントローラ８により、循環ポンプ６３ｃを作動させて追い焚き回路６３に浴槽７内の湯を循環させつつ殺菌装置６３ｆで湯を殺菌する殺菌運転を行い、また、循環ポンプ６３ｃを作動させて浴槽７内の湯を追い焚き回路６３に循環させつつ追い焚き用熱交換器３２により所定の設定温度に加熱する追い焚き運転を行うようにしている。また、コントローラ８には、殺菌運転を指示するための操作が可能な殺菌運転スイッチと追い焚き運転を指示するための操作が可能な追い焚き運転スイッチとが設けられた図外のリモコンが通信可能に接続されている。尚、殺菌運転や追い焚き運転を行うとき、それをリモコンの画面に表示することも可能である。
【００１７】
ここで、本実施形態では、所定の入浴期間経過後に殺菌運転を行う。そして、入浴人数（浴槽に入った人の数）を検知する検知手段を設けて、入浴期間中に検知手段で検知された入浴人数に応じて殺菌運転の運転時間を決定するようにしている。尚、検知手段としては種々のものが考えられるが、例えば、図示省略した人体センサと水位センサ６３ｄとで以下の如く入浴人数を検知する。即ち、浴室への入室が人体センサで検知された後、水位センサ６３ｄにより浴槽７内の水位上昇が検知されたときに、入浴したと判断して入浴人数に「１」を加算することを繰り返し、入浴人数を検知する。以下、図２を参照して、殺菌運転の制御について詳述する。
【００１８】
先ず、ＳＴＥＰ１で所定の入浴期間が経過したか否かを判別する。具体的には、湯張り完了からリモコンで設定される所定の設定時間（例えば、３時間）経過したときや、湯張り完了後に浴槽の湯温を一定に保つ保温運転を開始する場合には、リモコンで設定される所定の保温運転時間が経過して保温運転が終了したときや、湯張り完了後に水位センサ６３ｄにより水位変化が検知されないまま、或いは、人体センサにより人の存在が検知されないまま所定時間経過したときや、湯張り完了後にリモコンの殺菌運転スイッチがオンされたときに入浴期間が経過したと判断する。
【００１９】
ＳＴＥＰ１で入浴期間が経過したと判別されると、ＳＴＥＰ２に進んで殺菌運転を開始すると共にタイマの計時を開始した後、ＳＴＥＰ３に進み、入浴期間中に検知手段で検知された入浴人数が１人か２人か３人以上の何れであるか判別する。そして、入浴人数が１人の場合は、ＳＴＥＰ４で設定時間Ｙｔを比較的短いｔ１（例えば、３０分）、入浴人数が２人の場合は、ＳＴＥＰ５で設定時間Ｙｔを中程度のｔ２（例えば、６０分）、入浴人数が３人以上の場合は、ＳＴＥＰ６で設定時間Ｙｔを比較的長いｔ３（例えば、９０分）に設定する。次に、ＳＴＥＰ７でタイマの計時時間ｔ（殺菌運転を開始してからの経過時間）が設定時間Ｙｔに達したか否かを判別し、ｔ＝Ｙｔになったときに、ＳＴＥＰ８に進んで殺菌運転を終了すると共にタイマをリセットする。これにより、入浴人数に応じて殺菌運転の運転時間が決定されることになる。
【００２０】
このように本実施形態によれば、浴槽７内の湯に含まれる細菌数が入浴人数に応じて増減しても、殺菌運転の運転時間も入浴人数に応じて増減するため、浴槽７内の湯を過不足なく殺菌することができる。従って、入浴人数が多い場合に殺菌不足を生じたり、入浴人数が少ない場合に過度の殺菌運転によるエネルギーの無駄を生じたりすることがない。
【００２１】
以上、本発明の実施形態について図面を参照して説明したが、本発明はこれに限定されない。例えば、上記実施形態では、入浴人数が３人以上の場合に殺菌運転の運転時間を最大のｔ３としているが、入浴人数が３人以上の場合にも人数の増加に応じて殺菌運転時間を増加させることも可能である。
【符号の説明】
【００２２】
３２…追い焚き用熱交換器、６３…追い焚き回路、６３ｄ…水位センサ（検知手段）、６３ｆ…殺菌装置、７…浴槽。
【図１】
2017156059.tif 000003
【図２】
2017156059.tif 000004